(57)【要約】【課題】仕切付きになるものでありながら、一つの部材により簡単に組み立てることができる収納箱を提供すること。【解決手段】サック貼りした１枚のブランクを組み立てて形成される収納箱であって、角筒状をした胴部の上下にそれぞれ上蓋パネル１６と下蓋パネルとを有しており、胴部うちの対向する２面における同じ位置にそれぞれ面を横断する状態で屈曲部分１３ａ，１３ｂが設けられ、その屈曲部分には抜き孔１３ｃが形成されており、角筒状の胴部を上下に縮めることにより、屈曲部分１３ａ，１３ｂがそれぞれ内部にＶ字状に突き出して同じ高さで向かい合う棚板が形成されるとともに、抜き孔１３ｃによって棚板に内容物の側部保持部が形成される。一つの部材により、仕切付きの収納箱を簡単に組み立てることができるので、複数の部材を管理する必要性がなく、梱包作業も簡単に行うことができる。【選択図】図４
2008179388.tif 000002
【特許請求の範囲】
【請求項１】
サック貼りした１枚のブランクを組み立てて形成される収納箱であって、角筒状をした胴部の上下にそれぞれ上蓋パネルと下蓋パネルとを有しており、胴部のうちの対向する２面における同じ位置にそれぞれ面を横断する状態で屈曲部分が設けられ、その屈曲部分には抜き孔が形成されており、角筒状の胴部を上下に縮めることにより、屈曲部分がそれぞれ内部にＶ字状に突き出して同じ高さで向かい合う棚板が形成されるとともに、抜き孔によって棚板に内容物の側部保持部が形成されることを特徴とする収納箱。
【請求項２】
側部保持部が、向かい合った棚板のそれぞれに形成された孔からなることを特徴とする請求項１に記載の収納箱。
【請求項３】
側部保持部が、向かい合った棚板に形成された切欠からなることを特徴とする請求項１に記載の収納箱。
【請求項４】
抜き孔又は切欠を設けた保持パネルを上蓋パネル又は下蓋パネルのうちの少なくとも一方に対向して設け、この保持パネルを箱内に折り込むことにより、内容物の上部保持部又は下部保持部の少なくとも一方を設けたことを特徴とする請求項１〜３のいずれかに記載の収納箱。
【発明の詳細な説明】
【技術分野】
【０００１】
本発明は、アンプル瓶等の医療用具を始めとしてその他の壊れやすい物品を入れて搬送するための収納箱に関するものである。
【背景技術】
【０００２】
従来より、アンプル瓶や医療用具などの壊れやすい物品を入れて搬送するための収納箱は、搬送中に収納物どうしがぶつかって損傷しないようにするため、発泡スチロールなどの緩衝材を入れたり紙製の中仕切をセットしたりしている。このうち紙製の中仕切は、板状の仕切紙を上側と下側のスリットを利用して交差するように挟み合わせ、収納物どうしの間に挟まれるようにセットしていた。或いは、それ自体が切欠や孔を持った仕切部材を利用することも行われていた。
【特許文献１】実用新案登録第３０３０８７１号公報
【発明の開示】
【発明が解決しようとする課題】
【０００３】
従来の技術で挙げたような仕切付きの収納箱は、発泡スチロール等の緩衝材を用いておらず、全体が紙製であるために環境に優しいという利点はあるが、箱本体とは別部材の中仕切や仕切部材を準備する必要がある。したがって、複数の部材を組み合わせて使用状態とするため、これらの部材の管理が面倒な上、梱包作業にも余計な手間が掛かるという問題がある。
【０００４】
本発明は、このような事情や問題点に鑑みてなされたものであり、その目的とするところは、仕切付きになるものでありながら、一つの部材により簡単に組み立てることができる収納箱を提供することにある。
【課題を解決するための手段】
【０００５】
上記の目的を達成するため、本発明の収納箱は、サック貼りした１枚のブランクを組み立てて形成される収納箱であって、角筒状をした胴部の上下にそれぞれ上蓋パネルと下蓋パネルとを有しており、胴部のうちの対向する２面における同じ位置にそれぞれ面を横断する状態で屈曲部分が設けられ、その屈曲部分には抜き孔が形成されており、角筒状の胴部を上下に縮めることにより、屈曲部分がそれぞれ内部にＶ字状に突き出して同じ高さで向かい合う棚板が形成されるとともに、抜き孔によって棚板に内容物の側部保持部が形成されることを特徴としている。
【０００６】
この構成からなる収納箱によれば、サック貼りしたブランクを角筒状に起こし、その角筒状の胴部を上下に縮めて固定するだけで、側部保持部のある棚板が形成されるので、仕切付きの収納箱を簡単に組み立てることができる。
【０００７】
そして、このような収納箱において、側部保持部が、向かい合った棚板のそれぞれに形成された孔からなる形態にできるし、或いは、向かい合った棚板に形成された切欠からなる形態にもできる。要するに、収納する内容物の形状に合わせてガタツキのないようにすることができる。
【０００８】
また、このような収納箱において、抜き孔又は切欠を設けた保持パネルを上蓋パネル又は下蓋パネルのうちの少なくとも一方に対向して設け、この保持パネルを箱内に折り込むことにより、内容物の上部保持部又は下部保持部の少なくとも一方を設けた形態とすることもできる。この構成により、背の高い内容物でも安定して固定することができる。
【発明の効果】
【０００９】
本発明に係る収納箱によれば、一つの部材により、仕切付きの収納箱を簡単に組み立てることができるので、複数の部材を管理する必要性がなく、梱包作業も簡単に行うことができる。
【発明を実施するための最良の形態】
【００１０】
次に、本発明の好適な実施形態について図面を参照しながら詳細に説明する。
【００１１】
図１は本発明に係る収納箱の一実施例を蓋を閉じた状態で示す斜視図、図２は図１の収納箱をその中が見えるように上部を透視状態で図示した斜視図、図３は図１の収納箱を形成するブランクの展開図、図４は図３のブランクを組み立てる途中の状態を示す斜視図である。なお、ここでは図面に合わせて収納箱の上下を区別して説明するが、上下が説明とは逆でも構わないものであり、収納箱の上下は使い方によって任意に決めればよいものである。
【００１２】
図１及び図２に示す収納箱Ａ1 は、図３に示す１枚のブランクＢ1 を組み立てて形成される。このブランクＢ1 は、板紙を打ち抜いたもので、図示のように、折線ａ，ｂ，ｃ，ｄを介して、角筒状の胴部を形成するための糊代片１１、側面パネル１２、前面パネル１３、側面パネル１４、背面パネル１５が順次連設されている。
【００１３】
そして、胴部の上下を閉じるため、背面パネル１５の上辺には折線ｅを介して上蓋パネル１６が連設され、この上蓋パネル１６には折線ｆを介して差込みフラップ１７が連設されており、下辺には折線ｇを介して下蓋パネル１８が連設され、この下蓋パネル１８には折線ｈを介して差込みフラップ１９が連設されている。また、側面パネル１２の上下辺にはそれぞれ折線ｉ，ｊを介して折込み片２０，２１が連設され、側面パネル１４の上下片にはそれぞれ折線ｋ，ｌを介して折込み片２２，２３が連設されている。
【００１４】
ブランクＢ1 には、糊代片１１及び側面パネル１２、前面パネル１３、側面パネル１４、背面パネル１５のすべてを横断するようにして中程に３本の折線ｍ，ｎ，ｏが所定の等間隔で形成されている。さらに、糊代片１１及び側面パネル１２、前面パネル１３、側面パネル１４、背面パネル１５のすべてを横断するようにして下側寄りのところにジッパー２４が形成されている。
【００１５】
そして、前面パネル１３には、折線ｍ，ｎ，ｏにより屈曲部分１３ａ，１３ｂが区画されており、それぞれに５個の円形孔１３ｃが一列に形成されている。また、背面パネル１５には、折線ｍ，ｎ，ｏにより屈曲部分１５ａ，１５ｂが区画されており、それぞれに５個の円形孔１５ｃが一列に形成されている。
【００１６】
側面パネル１２には、折線ａ，ｂをそれぞれ底辺とし折線ｆ上における中程の離れた２点をそれぞれ頂点とする向かい合った２つの三角形状の開口１２ａ，１２ｂが形成されることにより、それぞれ折線ｍ，ｏを下辺とし折線ｎを共通の上辺とする２つの台形状の折込み片１２ｃ，１２ｄが形成されている。そして、折線ｍ上の中程にはスリット１２ｅが形成され、折線ｏ上の中程には折込み片１２ｄ側へ突き出た形状の凸片１２ｆが形成されており、凸片１２ｆはスリット１２ｅに嵌入固定が可能な形状になっている。
【００１７】
同様に、側面パネル１４には、折線ｃ，ｄをそれぞれ底辺とし折線ｆ上における中程の離れた２点をそれぞれ頂点とする向かい合った２つの三角形状の開口１４ａ，１４ｂが形成されることにより、それぞれ折線ｍ，ｏを下辺とし折線ｎを共通の上辺とする２つの台形状の折込み片１４ｃ，１４ｄが形成されている。そして、折線ｍ上の中程にはスリット１４ｅが形成され、折線ｏ上の中程には折込み片１４ｄ側へ突き出た形状の凸片１４ｆが形成されており、凸片１４ｆはスリット１４ｅに嵌入固定が可能な形状になっている。
【００１８】
前面パネル１３の屈曲部分１３ａ，１３ｂにおける５個の円形孔１３ｃは、側面パネル１２の方に少しだけ寄って設けられており、側面パネル１２の折込み片１２ｃ，１２ｄには組み立てた時にその端の円形孔１３ｃを避けるためにそれぞれ図示のような円弧が形成されている。同様に、背面パネル１５の屈曲部分１５ａ，１５ｂにおける５個の円形孔１５ｃは、側面パネル１４の方に少しだけ寄って設けられており、側面パネル１４の折込み片１４ｃ，１４ｄには組み立てた時にその端の円形孔１５ｃを避けるためにそれぞれ図示のような円弧が形成されている。
【００１９】
ブランクＢ1 における折線ｍ，ｎ，ｏは、その折曲げやすさを考慮して、前面パネル１３と背面パネル１５では押し罫の途中に切込み線のあるリード罫で構成されており、側面パネル１２，１４ではミシン目で構成されており、糊代片１１では長い２つの切込みで構成されている。
【００２０】
上記のブランクＢ1 はサック貼りして供給する。すなわち、折線ｂ，ｄで折り曲げ、糊代片１１を背面パネル１５の端縁裏側に貼りつけた扁平状態とする。そして、箱詰め工程において、サック貼りしたブランクＢ1 を角筒状に起こしてから、必要に応じて図４に示す如く上下を閉じる。そして、前面パネル１３の屈曲部分１３ａ，１３ｂと背面パネル１５の屈曲部分１５ａ，１５ｂが内部にＶ字状に突き出るように、かつ、側面パネル１２の折込み片１２ｃ，１２ｄと側面パネル１４の折込み片１４ｃ，１４ｄも内部にＶ字状に突き出るようにして、角筒状の胴部を上下方向に縮め、側面パネル１２側では凸片１２ｆをスリット１２ｅに、側面パネル１４側では凸片１４ｆをスリット１４ｅにそれぞれ差し込んで固定する。確実に固定する場合には、縮めた側面パネル１２，１４の表面に粘着テープを跨がるように貼付すればよい。
【００２１】
これにより、図２に示すように、前面パネル１３の屈曲部分１３ａ，１３ｂと背面パネル１５の屈曲部分１５ａ，１５ｂにより、同じ高さで向かい合う棚板が形成される。そして、これらの棚板にはそれぞれ円形孔１３ｃと円形孔１５ｃによりそれぞれ内容物の側部保持部が形成される。この収納箱Ａ1 では、図示のように、円形孔１３ｃで形成される側部保持部と円形孔１５ｃで形成される側部保持部とが少しずれるように、また棚板が側面パネル１２の折込み片１２ｃ，１２ｄと側面パネル１４の折込み片１４ｃ，１４ｄで補強されるようになっている。
【００２２】
この収納箱Ａ1 は、円形孔１３ｃで形成された孔からなる側部保持部と、円形孔１５ｃで形成された孔からなる側部保持部にそれぞれアンプル瓶等の内容物をセットした状態で収納した後、上蓋パネル１６を閉じることで箱詰め状態とする。このように内容物を収納することで、安定した状態で搬送することができる。そして、上蓋パネル１６を開けて内容物を取り出すことができる。また、ジッパー２４を破断除去して上半部を取り除くことで、棚板も同時に除去され、内容物全体を一度に取り出すこともできる。
【００２３】
なお、前記したように、この収納箱Ａ1 は、図２に示す向きとは上下を逆にした使い方もできる。この場合、上蓋パネル１６と下蓋パネル１８がそれぞれ下蓋パネル１６と上蓋パネル１８になり、ジッパー２４は棚板より上方に位置することになる。したがって、上蓋パネル１８を開けて内容物を取り出すことができるし、或いは、ジッパー部２４を破断除去して上半部を取り除くことで、内容物全体を棚板に嵌まったままで露出した状態にすることができる。
【００２４】
図５は図１〜４で説明した包装箱の変形例を中が見えるように上部を透視状態で図示した斜視図であり、図６は図５の収納箱を形成するブランクの展開図である。
【００２５】
この収納箱Ａ2 は、図１〜４で説明した包装箱と同様な構成であり、側部保持部の上方に内容物の上部保持部が設けられている点だけが異なっている。
【００２６】
したがって、収納箱Ａ2 を形成するブランクＢ2 は、上部保持部を設けるために、前面パネル１３の上辺に折線ｐを介して所定幅の間隔パネル２５を延設し、その間隔パネル２５に折線ｒを介して保持パネル２６を連設している。この保持パネル２６は胴部にちょうど入るサイズであり、それには側部保持部の孔より径の小さな円形孔２６ａが側部保持部のそれぞれの孔に対応して設けられている。ここで、間隔パネル２５と保持パネル２６の境界にある折線ｒは、折曲げやすさを考慮してリード罫で構成されている。また、保持パネル２６のコーナーには保持パネル２６を引き出すために指先が入るサイズで円弧状の切欠２６ｂが設けられている。なお、それ以外の構成は図３のブランクＢ1 と同じであるので、同じ部位には同じ符号を付してある。
【００２７】
このブランクＢ2 もサック貼りして供給され、折り畳まれた状態で箱詰め工程へと供給される。その組立手順は先に説明したブランクＢ1 の場合と同様であるが、上蓋パネル１６に対向して設けた保持パネル２６を箱内に折り込むことによって内容物の上部保持部を形成する点だけが異なる。具体的には、側部保持部にそれぞれアンプル瓶等の内容物をセットした状態で収納した後、間隔パネル２５を内側に折り曲げつつ保持パネル２６を内容物の上部に被せ、個々の内容物の上部がそれぞれ円形孔２６ａに入るようにして保持パネル２６を水平状態にセットする。しかる後に、上蓋パネル１６を閉じることで箱詰め状態とする。これにより、収納した内容物は側部と上部の二箇所を把持された状態になるので、より安定した状態で搬送することができる。
【００２８】
なお、このブランクＢ2 から組み立てられる収納箱Ａ2 も、図５に示した向きとは上下を逆にした使い方ができる。この場合、上蓋パネル１６と下蓋パネル１８がそれぞれ下蓋パネル１６と上蓋パネル１８になり、ジッパー２４は棚板より上方に位置し、保持パネル２６は棚板により下方に位置することになる。したがって、内容物は側部と下部の二箇所を把持された状態になる。そして、上蓋パネル１８を開けて内容物を取り出すことができるし、或いは、ジッパー部２４を破断除去して上半部を取り除くことで、内容物全体を棚板と保持パネル１６に嵌まったままで露出した状態にすることができる。
【００２９】
このような保持パネルは、上蓋パネル又は下蓋パネルに対向して設け、箱内に折り込むことによって内容物の上部保持部又は下部保持部を形成するが、その位置を棚板の上側か下側にするかは任意である。実際には、用途に応じた使い勝手を考慮して適宜決めればよいものである。また、このような保持パネルを、上蓋パネルと下蓋パネルの双方に対向して設けておき、これらを箱内に折り込むことによって内容物の上部保持部と下部保持部の双方を形成することも可能である。
【００３０】
図７は本発明に係る収納箱の別の実施例を蓋を閉じた状態で示す斜視図、図８は図７の収納箱をその中が見えるように上部を透視状態で図示した斜視図、図９は図７の収納箱を形成するブランクの展開図、図１０は図９のブランクを組み立てる途中の状態を示す斜視図である。
【００３１】
図７及び図８に示す収納箱Ａ3 は、図９に示す１枚のブランクＢ3 を組み立てて形成される。このブランクＢ3 は、板紙を打ち抜いたもので、図示のように、折線ａ，ｂ，ｃ，ｄを介して、角筒状の胴部を形成するための糊代片３１、側面パネル３２、前面パネル３３、側面パネル３４、背面パネル３５が順次連設されている。
【００３２】
そして、胴部の上下を閉じるため、背面パネル３５の上辺には折線ｅを介して上蓋パネル３６が連設され、この上蓋パネル３６には折線ｆを介して差込みフラップ３７が連設されており、下辺には折線ｇを介して下蓋パネル３８が連設され、この下蓋パネル３８には折線ｈを介して差込みフラップ３９が連設されている。また、側面パネル３２の上下辺にはそれぞれ折線ｉ，ｊを介して折込み片４０，４１が連設され、側面パネル３４の上下片にはそれぞれ折線ｋ，ｌを介して折込み片４２，４３が連設されている。
【００３３】
ブランクＢ3 には、糊代片３１及び側面パネル３２、前面パネル３３、側面パネル３４、背面パネル３５のすべてを横断するようにして中程に３本の折線ｍ，ｎ，ｏが所定の等間隔で形成されている。
【００３４】
そして、前面パネル３３には、折線ｍ，ｎ，ｏにより屈曲部分３３ａ，３３ｂが区画されており、それらに跨がるようにして５個の切欠３３ｃが一列に形成されている。また、背面パネル３５には、折線ｍ，ｎ，ｏにより屈曲部分３５ａ，３５ｂが区画されており、それぞれに５個の切欠１５ｃが一列に形成されている。
【００３５】
また、側面パネル３２には、折線ａ，ｂと折線ｍ，ｏとで囲まれる部分に開口が形成されている。そして、折線ｏのところからはそれを下辺とする台形状の折込み片３２ａが突き出るように形成されるとともに、その折線ｏ上の中程にはスリット３２ｂが形成され、対向する折線ｍの中程には開口へ突き出た形状の凸片３２ｃが形成されており、凸片３２ｃはスリット３２ｂに嵌入固定が可能な形状になっている。
【００３６】
同様に、側面パネル３４にも、折線ａ，ｂと折線ｍ，ｏとで囲まれる部分に開口が形成されている。そして、折線ｏのところからはそれを下辺とする台形状の折込み片３４ａが突き出るように形成されるとともに、その折線ｏ上の中程にはスリット３４ｂが形成され、対向する折線ｍの中程には開口へ突き出た形状の凸片３４ｃが形成されており、凸片３４ｃはスリット３４ｂに嵌入固定が可能な形状になっている。
【００３７】
前面パネル３３の屈曲部分３３ａ，３３ｂにおける５個の切欠３３ｃは、側面パネル３２の方に少しだけ寄って設けられ、背面パネル３５の屈曲部分３５ａ，３５ｂにおける５個の切欠３５ｃも、側面パネル３４の方に少しだけ寄って設けられており、組み立てた時に切欠３３ｃと切欠３５ｃは同じ位置で向かい合うようになっている。そして、側面パネル３２の折込み片３２ａと側面パネル３４の折込み片３４ａは組立時に折り込んだ時にその端の切欠３３ｃ、切欠３５ｃを避けるサイズで形成されている。
【００３８】
ブランクＢ3 における折線ｍ，ｏは、その折曲げやすさを考慮して、前面パネル３３と背面パネル３５では押し罫の途中に切込み線のあるリード罫で構成されており、糊代片１１では長い２つの切込みで構成されている。また、折線ｎは途中に切欠３３ｃ，３５ｃがあるので、通常の押し罫で形成されている。
【００３９】
上記のブランクＢ3 はサック貼りして供給する。すなわち、折線ｂ，ｄで折り曲げ、糊代片３１を背面パネル３５の端縁裏側に貼りつけた扁平状態とする。そして、箱詰め工程において、サック貼りしたブランクＢ3 を角筒状に起こしてから、必要に応じて図１０に示す如く上下を閉じる。そして、前面パネル３３の屈曲部分３３ａ，３３ｂと背面パネル３５の屈曲部分３５ａ，３５ｂが内部にＶ字状に突き出るように、かつ、側面パネル３２の折込み片３２ａと側面パネル３４の折込み片３４ａを屈曲部分３３ｂ，３５ｂの下側に折り込むようにして、角筒状の胴部を上下方向に縮め、側面パネル３２側では凸片３２ｃをスリット３２ｂに、側面パネル３４側では凸片３４ｃをスリット３４ｂにそれぞれ差し込んで固定する。確実に固定する場合には、縮めた側面パネル３２，２４の表面に粘着テープを跨がるように貼付すればよい。
【００４０】
これにより、図８に示すように、前面パネル３３の屈曲部分３３ａ，３３ｂと背面パネル３５の屈曲部分３５ａ，３５ｂにより、同じ高さで向かい合う棚板が形成される。そして、これらの棚板にはそれぞれに向かい合った切欠３３ｃと切欠３５ｃにより内容物の側部保持部が形成される。この収納箱Ａ3 では、図示のように、向かい合った切欠３３ｃと切欠３５ｃとで一つの四角い内容物を保持するようになっている。なお、この例では棚板の高さを箱の中央より少し上方寄りとしているが、棚板の高さは内容物に応じて適宜決めればよいものである。
【００４１】
この収納箱Ａ3 は、向かい合った切欠３３ｃと切欠３５ｃで形成された矩形状の孔からなる側部保持部にそれぞれ四角い形状の内容物をセットした状態で収納した後、上蓋パネル３６を閉じることで箱詰め状態とする。このように内容物を収納することで、安定した状態で搬送することができる。そして、上蓋パネル３６を開けて内容物を取り出すことができる。
【００４２】
以上、本発明の実施の形態について詳細に説明してきたが、本発明による収納箱は、上記実施の形態に何ら限定されるものではなく、本発明の趣旨を逸脱しない範囲において種々の変更が可能であることは言うまでもない。
【００４３】
例えば、内容物の上部保持部又は下部保持部となる保持パネルには、図２に示す如き円形孔のような抜き孔を形成するほか、矩形状の切欠を形成してもよい。要は、内容物の形状に合わせた任意の形状としてよいものである。
【００４４】
また、内容物の上部保持部又は下部保持部は必要に応じて設ければよいものであり、例えば、図７及び図８に示した収納箱では保持パネルを備えいないが、この収納箱にあっても、保持パネルを上蓋パネル又は下蓋パネルのうちの少なくとも一方に対向して設け、この保持パネルを箱内に折り込むことにより、内容物の上部保持部又は下部保持部のうちの少なくとも一方を設けるようにすることが可能である。
【産業上の利用可能性】
【００４５】
本発明の収納箱は、上記したようなアンプル瓶や医療用具などの壊れやすい物品のみならず、その他の物品を収納する場合にも適用することができる。例えば、一升瓶を始めとして、ジュースやビールなどの瓶類や缶類が挙げられる。この場合、大きくて重量のあるものは、包装箱の素材として段ボールを使用すればよい。
【図面の簡単な説明】
【００４６】
【図１】本発明に係る収納箱の一実施例を蓋を閉じた状態で示す斜視図である。
【図２】図１の収納箱をその中が見えるように上部を透視状態で図示した斜視図である。
【図３】図１の収納箱を形成するブランクの展開図である。
【図４】図３のブランクを組み立てる途中の状態を示す斜視図である。
【図５】図１〜４で説明した包装箱の変形例を中が見えるように上部を透視状態で図示した斜視図である。
【図６】図５の収納箱を形成するブランクの展開図である。
【図７】本発明に係る収納箱の別の実施例を蓋を閉じた状態で示す斜視図である。
【図８】図７の収納箱をその中が見えるように上部を透視状態で図示した斜視図である。
【図９】図７の収納箱を形成するブランクの展開図である。
【図１０】図９のブランクを組み立てる途中の状態を示す斜視図である。
【符号の説明】
【００４７】
Ａ1 ，Ａ2 ，Ａ3   収納箱
Ｂ1 ，Ｂ2 ，Ｂ3   ブランク
ａ〜ｒ  折線
１１  糊代片
１２  側面パネル
１２ａ，１２ｂ  開口
１２ｃ，１２ｄ  折込み片
１２ｅ  スリット
１２ｆ  凸片
１３  前面パネル
１３ａ，１３ｂ  屈曲部分
１３ｃ  円形孔
１４  側面パネル
１４ａ，１４ｂ  開口
１４ｃ，１４ｄ  折込み片
１４ｅ  スリット
１４ｆ  凸片
１５  背面パネル
１５ａ，１５ｂ  屈曲部分
１５ｃ  円形孔
１６  上蓋パネル
１７  差込みフラップ
１８  下蓋パネル
１９  差込みフラップ
２０，２１  折込み片
２２，２３  折込み片
２４  ジッパー
２５  間隔パネル
２６  保持パネル
２６ａ  円形孔
２６ｂ  切欠
３１  糊代片
３２  側面パネル
３２ａ  折込み片
３２ｂ  スリット
３２ｃ  凸片
３３  前面パネル
３３ａ，３３ｂ  屈曲部分
３３ｃ  切欠
３４  側面パネル
３４ａ  折込み片
３４ｂ  スリット
３４ｃ  凸片
３５  背面パネル
３５ａ，３５ｂ  屈曲部分
３５ｃ  切欠
３６  上蓋パネル
３７  差込みフラップ
３８  下蓋パネル
３９  差込みフラップ
４０，４１  折込み片
４２，４３  折込み片
【図１】
2008179388.tif 000003
【図２】
2008179388.tif 000004
【図３】
2008179388.tif 000005
【図４】
2008179388.tif 000006
【図５】
2008179388.tif 000007
【図６】
2008179388.tif 000008
【図７】
2008179388.tif 000009
【図８】
2008179388.tif 000010
【図９】
2008179388.tif 000011
【図１０】
2008179388.tif 000012